(57)【要約】【課題】配管の長さが多少短くても機器同士を接続することができるワンタッチ式の配管接続装置及びこの配管接続装置に用いられるクリップを提供する。【解決手段】配管接続装置３０は、フランジ３１付きのフランジ３２と、フランジ３３付きのプラグ３５と、該フランジ３１，３４同士を連繋するためのクリップ３６とを有している。クリップ３６は、重ね合わされたフランジ３１，３４が係合可能な大係合部４１と、フランジ３１，３４がそれぞれ１枚だけ係合可能な第１の小係合部４２及び第２の小係合部４３とを有している。第１の小係合部４２と第２の小係合部４３とは互いに間隔をおいて大係合部４１の両サイドに配置されている。ホース７が短い場合には、挿入筒３３をソケット３２に対し浅目に挿入し、フランジ３１，３４をそれぞれ第１の小係合部４２と第２の小係合部４３とに係合させる。【選択図】  図２
2004211874.tif 000002
【特許請求の範囲】
【請求項１】
先端側にフランジを有した筒状のソケットと、
該ソケットに挿入される挿入筒を先端側に有すると共に、長手方向の途中部分に該ソケットのフランジと当接可能なフランジを有したプラグと、
これらのフランジに係合してフランジ同士の離間を阻止するクリップと
を有する配管接続装置において、
該クリップは、該挿入筒の該ソケットへの異なる挿入深さにおいてフランジの離間を阻止するものであることを特徴とする配管接続装置。
【請求項２】
請求項１において、前記クリップは、前記フランジが係合する係合部を複数個備えており、そのうちの１個は、重ね合わされた前記フランジと係合する大きさを有しており、各係合部は、前記挿入筒の挿入方向において配置位置が異なっていることを特徴とする配管接続装置。
【請求項３】
請求項２において、前記係合部として、重ね合わされた２枚のフランジが係合可能な１個の大係合部と、前記ソケットのフランジが１枚だけ係合可能な第１の小係合部と、前記プラグのフランジが１枚だけ係合可能な第２の小係合部とが設けられており、
該第１の小係合部と第２の小係合部との間に該大係合部が設けられていることを特徴とする配管接続装置。
【請求項４】
ソケットのフランジとプラグのフランジとを連繋するためのクリップであって、
フランジ外周の一部に沿って配置される第１外周片と、
フランジの中心を挟んで該第１外周片と反対側のフランジ外周の一部に沿って配置される第２外周片と、
該第１外周片と第２外周片とを連結している連結片と、
該第１外周片及び第２外周片にそれぞれ設けられたフランジ係合部と
を有し、該第１外周片と第２外周片とは接離方向に弾性変形可能であるクリップにおいて、
前記係合部として、重ね合わされた２枚のフランジが係合可能な１個の大係合部と、前記ソケットのフランジが１枚だけ係合可能な第１の小係合部と、前記プラグのフランジが１枚だけ係合可能な第２の小係合部とが設けられており、
該第１の小係合部と第２の小係合部との間に該大係合部が設けられていることを特徴とする配管接続装置。
【発明の詳細な説明】
【０００１】
【発明の属する技術分野】
本発明は配管接続装置に係り、詳しくは、例えば給水管や給湯管を逆止弁や止水栓等に接続する場合に好適に用いられる配管接続装置に関する。また、本発明は、この配管接続装置に用いられるクリップに関する。
【０００２】
【従来の技術】
給水管や給湯管などの配管を逆止弁や止水栓等に接続するための配管接続装置として、クリップを用いた所謂ワンタッチ式の配管接続装置が特開平８−２７０８４８号公報などに記載され、また、実用化されて広く用いられている。
【０００３】
第３図は特開平８−２７０８４８号公報に記載の配管接続装置を採用した便器設備を示す斜視図、第４図はこの配管接続装置の分解斜視図である。
【０００４】
洋風便器１の後部上面にロータンクカバー２が設置されている。このロータンクカバー２の前面下部に便座３及び便蓋４が起倒回動可能に取り付けられている。図示はしないが、このロータンクカバー２内にロータンク、温水洗浄装置及び温風乾燥ファン等が設けられている。このロータンクにはボールタップが設置されている。このボールタップからロータンクと温水洗浄装置の温水タンクとに洗浄水が供給される。このボールタップはトイレルーム壁面５に設けられた止水栓６に対し給水管としてのホース７を介して接続されている。
【０００５】
この止水栓６とホース７とは配管接続装置１０によって接続されている。この配管接続装置１０は、フランジ１１を有した筒状のソケット１２と、該ソケット１２に挿入される挿入筒１３及び該ソケット１２のフランジ１１に当接可能なフランジ１４を有したプラグ１５と、これらのフランジ１１，１４同士を連繋するためのクリップ１６とから構成されている。該ソケット１２は止水栓６の送水側の端部に設けられている。また、プラグ１５は、後端側がカシメカラー１７を介してホース７の一端に連結されている。挿入筒１３の外周にＯリング１８が装着されている。
【０００６】
該挿入筒１３をソケット１２に挿入してフランジ１１，１４を当接させ、重なり合ったこれらのフランジ１１，１４にクリップ１６を係着することにより、ソケット１２及びプラグ１５を介して止水栓６とホース７とが接続される。
【０００７】
このクリップ１６は、フランジ１１，１４の外周に沿って配置される第１外周片１９と、該フランジ１１，１４の中心を挟んで該第１外周片１９と反対側の該フランジ１１，１４の外周に沿って配置される第２外周片２０と、該第１外周片１９と第２外周片２０とを連結している連結片２１とを有した略Ω字形状のものである。該第１外周片１９と第２外周片２０とには、それぞれフランジ１１，１４の係合部として、重なり合ったフランジ１１，１４を受け入れる窓孔２２が設けられている。このクリップ１６は金属製であり、第１外周片１９と第２外周片２０とは互いに接近・離反方向に弾性変形可能となっている。
【０００８】
なお、図示はしないが、ボールタップの受水側の端部にもソケット１２が設けられている。また、ホース７の他端にもプラグ１５が連結されている。このソケット１２にプラグ１５の挿入筒１３が挿入され、重なり合ったフランジ１１，１４にクリップ１６が係着されることにより、ボールタップとホース７も該ソケット１２及びプラグ１５を介して接続される。
【０００９】
かかるホース７と止水栓６及びボールタップの連結は、ワンタッチにてきわめて容易に行なえる。
【００１０】
また、ホース７と止水栓６及びボールタップとの連結部はＯリング１８によって止水されるため、作業者の熟練度の如何にかかわらず止水性はきわめて良好である。
【００１１】
【特許文献１】
特開平８−２７０８４８号公報
【００１２】
【発明が解決しようとする課題】
洋風便器１や止水栓６の位置はトイレルームによってマチマチであり、ボールタップと止水栓６との間の距離もトイレルームによって異なる。上記特開平８−２７０８４８号公報の配管接続装置１０は、ボールタップと止水栓６との配置に関わらず、フランジ１１，１４同士が重なり合うようにプラグ１５の挿入筒１３をソケット１２の最深部まで挿入しなければクリップ１６を係着することができない。従って、ホース７の長さがボールタップと止水栓６との間の距離よりもわずかでも短ければ、より長い別のホースに交換しなければならない。このため、ボールタップと止水栓６との接続に当って長さの異なる複数のホースを取り揃えておかなければならず、不経済である。
【００１３】
本発明は、このように配管の長さが接続予定機器同士の間の距離よりも多少短くても、配管をより長いものに交換することなく機器同士を接続することができるワンタッチ式の配管接続装置及びこの配管接続装置に用いられるクリップを提供することを目的とする。
【００１４】
【課題を解決するための手段】
本発明（請求項１）の配管接続装置は、先端側にフランジを有した筒状のソケットと、該ソケットに挿入される挿入筒を先端側に有すると共に、長手方向の途中部分に該ソケットのフランジと当接可能なフランジを有したプラグと、これらのフランジに係合してフランジ同士の離間を阻止するクリップとを有する配管接続装置において、該クリップは、該挿入筒の該ソケットへの異なる挿入深さにおいてフランジの離間を阻止するものであることを特徴とする。
【００１５】
かかる本発明の配管接続装置にあっては、プラグの挿入筒をソケットに対し異なる深さに挿入した状態にてソケットのフランジとプラグのフランジとの離反を阻止するようこれらのフランジにクリップを係着することができる。即ち、挿入筒をソケットに対し浅目に挿入し、ソケットのフランジとプラグのフランジとを離間させた状態においても、これらのフランジにクリップを係着してソケットとプラグとを連結することができる。これにより、配管接続装置自体の全長を増大させることが可能である。
【００１６】
従って、配管の長さが接続予定機器同士の間の距離よりも多少短くても、このようにして配管接続装置自体の全長を配管の長さが足りない分だけ増大させることにより、配管をより長いものに交換することなく機器同士を接続することが可能となる。
【００１７】
この配管接続装置においては、クリップは、前記フランジが係合する係合部を複数個備えており、そのうちの１個は、重ね合わされた前記フランジと係合する大きさを有しており、各係合部は、前記挿入筒の挿入方向において配置位置が異なっている構成であることが好ましい（請求項２）。
【００１８】
かかる請求項２の構成にあっては、例えば配管の長さが接続予定機器同士の間の距離とほぼ一致している場合、もしくは接続予定機器同士の間の距離よりも多少長い場合には、前述の特開平８−２７０８４８号公報の配管接続装置と同様に、ソケットのフランジとプラグのフランジとが重なり合うように挿入筒をソケットの最深部まで挿入し、該フランジ同士が重なり合った状態で係合可能な係合部にこれらのフランジが係合するようにクリップを係着してソケットとプラグとを連結する。これにより、配管接続装置の全長が短くなり、配管に過度の弛みが生じることが防止され、見栄えの良い配管接続構造とすることができる。
【００１９】
もちろん、この請求項２の構成にあっては、挿入筒をソケットに対し浅目に挿入し、フランジ同士を離間させた状態にて、該挿入方向において異なる位置に配置された他の係合部にそれぞれソケットのフランジとプラグのフランジとを係合させることにより、配管接続装置の全長が増大するようにソケットとプラグとを連結することが可能である。これにより、配管の長さが接続予定機器同士の間の距離よりも短い場合でも、配管の長さが足りない分だけ配管接続装置自体の全長を増大させるようにして配管を接続することが可能である。
【００２０】
この請求項２の構成においては、係合部として、重ね合わされた２枚のフランジが係合可能な１個の大係合部と、前記ソケットのフランジが１枚だけ係合可能な第１の小係合部と、前記プラグのフランジが１枚だけ係合可能な第２の小係合部とが設けられており、該第１の小係合部と第２の小係合部との間に該大係合部が設けられている構成であることが好ましい（請求項３）。
【００２１】
このように構成することにより、重ね合わされたフランジが係合する幅広の大係合部が互いに離間した第１の小係合部と第２の小係合部との間のスペースに配置されるため、クリップの大型化が抑制される。
【００２２】
本発明（請求項４）のクリップは、ソケットのフランジとプラグのフランジとを連繋するためのクリップであって、フランジ外周の一部に沿って配置される第１外周片と、フランジの中心を挟んで該第１外周片と反対側のフランジ外周の一部に沿って配置される第２外周片と、該第１外周片と第２外周片とを連結している連結片と、該第１外周片及び第２外周片にそれぞれ設けられたフランジ係合部とを有し、該第１外周片と第２外周片とは接離方向に弾性変形可能であるクリップにおいて、前記係合部として、重ね合わされた２枚のフランジが係合可能な１個の大係合部と、前記ソケットのフランジが１枚だけ係合可能な第１の小係合部と、前記プラグのフランジが１枚だけ係合可能な第２の小係合部とが設けられており、該第１の小係合部と第２の小係合部との間に該大係合部が設けられていることを特徴とするものである。
【００２３】
かかる本発明のクリップにあっては、第１外周片と第２外周片とを手や指等で離反させるようにしてソケット及びプラグのフランジに被せることにより、工具等を用いなくても簡単にクリップを取り付けることができる。また、このクリップにあっても、前述の請求項３の構成のクリップと同様、互いに離間した第１の小係合部と第２の小係合部との間のスペースに大係合部が配置されるため、クリップの大型化が抑制される。
【００２４】
【発明の実施の形態】
以下、図面を参照して本発明の実施の形態について説明する。第１図は本発明の実施の形態に係る配管接続装置の分解斜視図であり、第２図はこの配管接続装置の側面図である。なお、第２図（ａ）はこの配管接続装置の全長を増大させることなくソケットとプラグとを連結した状態を示し、同（ｂ）は配管接続装置の全長を増大させるようにしてソケットとプラグとを連結した状態を示している。
【００２５】
この配管接続装置３０は、フランジ３１を有した筒状のソケット３２と、該ソケット３２に挿入される挿入筒３３及び該ソケット３２のフランジ３１に当接可能なフランジ３４を有したプラグ３５と、これらのフランジ３１，３４同士を連繋するためのクリップ３６とから構成されている。
【００２６】
図示はしないが、この実施の形態でも、トイレルーム壁面５に設けられた止水栓６の送水側の端部と、洋風便器１の後部上面に設置されているロータンクカバー２内に設けられたボールタップの受水側の端部とにそれぞれソケット３２が設けられている。また、これらの止水栓６とボールタップとを接続するための配管としてのホース７の両端に、それぞれカシメカラー１７を介してプラグ３５が連結されている。
【００２７】
該ソケット３２は後端側が止水栓６の送水側の端部又はボールタップの受水側の端部に連なっている。フランジ３１は、このソケット３２の先端面に臨むようにして、該ソケット３２の外周面から放射状に突設されている。このフランジ３１の外周面は、ソケット３２と同軸状の円筒面となっている。該ソケット３２の内孔３２ａは、該フランジ３１と同軸状に該ソケット３２の先端面に臨んでいる。
【００２８】
プラグ３５は、該ソケット３２と略等径の筒状の本体部３５ａを有している。この本体部３５ａの後端がカシメカラー１７を介してホース７に連結されている。この本体部３５ａの先端面に臨むようにして、該本体部３５ａの外周面から放射状にフランジ３４が突設されている。このフランジ３４の外周面は、ソケット３２のフランジ３１の外周面と等径の円筒面となっている。挿入筒３３は、該本体部３５ａの先端面から該本体部３５ａと同軸状に延出している。この挿入筒３３の先端付近の外周にＯリング３７が装着されている。
【００２９】
該本体部３５ａの先端面からの該挿入筒３３の延出長さは１０〜３０ｍｍであることが好ましい。
【００３０】
該ソケット３２とプラグ３５とは、挿入筒３３が該ソケット３２の内孔３２ａ内に挿入され、該ソケット３２のフランジ３１とプラグ３５のフランジ３４とを連繋するようにこれらのフランジ３１，３４にクリップ３６が係着されることにより連結される。該挿入筒３３と内孔３２との間はＯリング３７によって止水される。
【００３１】
クリップ３６は、挿入筒３３がソケット３２の内孔３２ａに挿入された状態において該ソケット３２とプラグ３５の本体部３５ａとにまたがるようにしてこれらの外周の一部に沿って配置される第１外周片３８と、該ソケット３２及び本体部３５ａの中心を挟んで該第１外周片３８と反対側の該ソケット３２及び本体部３５ａの外周の一部に沿って配置される第２外周片３９と、該第１外周片３８と第２外周片３９の一端（第２図における上端）同士を連結している連結片４０とから構成されている。該第１外周片３８及び第２外周片３９は、該ソケット３２及びプラグ３５の本体部３５ａの外周面に沿うように円弧状に湾曲して延在している。
【００３２】
このクリップ３６は、金属等の弾性を有する材質により製作されており、該第１外周片３８及び第２外周片３９とは接近・離反するように弾性変形可能となっている。該第１外周片３８及び第２外周片３９の他端側（第２図における下端側）は、これらを離反させるよう弾性変形させるときに手掛かり又は指掛かりとなるよう外方（該第１外周片３８と第２外周片３９とが離反する方向）に曲成された耳部３８ａ，３９ａとなっている。
【００３３】
該第１外周片３８及び第２外周片３９には、それぞれ、重ね合わされたフランジ３１，３４を受け入れ可能な幅広窓孔状の大係合部４１が設けられている。また、該第１外周片３８及び第２外周片３９には、それぞれ、離間したプラグ３５のフランジ３４とソケット３２のフランジ３１とをそれぞれ１枚だけ受け入れ可能な幅狭窓孔状の第１の小係合部４２及び第２の小係合部４３が設けられている。
【００３４】
該第１の小係合部４２と第２の小係合部４３とは、挿入筒３３の内孔３２ａへの挿入方向に所定間隔をおいて離隔するように配置されている。また、大係合部４１は、これら第１及び第２の小係合部４２，４３同士の中間付近に配置されている。
【００３５】
このように構成された配管接続装置３０を用いてホース７と止水栓６及びボールタップとを接続するに際し、ホース７の長さが該止水栓６とボールタップとの間の距離とほぼ一致している場合、又はホース７の長さがこれらの間の距離よりも多少大きい場合には、第２図（ａ）に示すように、ソケット３２のフランジ３１とプラグ３５のフランジ３４とが重なり合うように挿入筒３３を該ソケット３２の内孔３２ａの最深部まで挿入し、重なり合ったフランジ３１，３４が大係合部４１に係合するようこれらのフランジ３１，３４にクリップ３６を係着する。これにより、該フランジ３１，３４同士が離間不能となってソケット３２とプラグ３５とが連結され、この配管接続装置３０を介してホース７と止水栓６又はボールタップとが接続される。
【００３６】
また、止水栓６とボールタップとの間の距離がホース７の長さよりも多少大きく、フランジ３１，３４同士が重なり合うまで挿入筒３３を該内孔３２内に挿入できない場合には、挿入筒３３を該内孔３２内に浅目に挿入し、フランジ３１，３４同士を離間させた状態にて、これらのフランジ３１，３４がそれぞれ第１の小係合部４２及び第２の小係合部４３に係合するようこれらのフランジ３１，３４にクリップ３６を係着してソケット３２とプラグ３５とを連結する。
【００３７】
この配管接続装置３０を用いることにより、ホース７を止水栓６とボールタップとにそれぞれワンタッチで接続することができる。
【００３８】
この配管接続装置にあっては、ソケット３２のフランジ３１を第１の小係合部４２に係合させ、プラグ３５のフランジ３４を第２の小係合部４３に係合させることにより、該フランジ３１，３４同士を重ね合わせて大係合部４１に係合させたときよりも配管接続装置３０の全長を大きくすることができる。このようにして配管接続装置３０の全長を大きくすることにより、ホース７の長さが止水栓６とボールタップとの間の距離よりも多少短くても、ホース７の両端を止水栓６とボールタップとに接続することが可能である。
【００３９】
この実施の形態では、クリップ３６に重ね合わされたフランジ３１，３４が係合可能な大係合部４１が設けられているので、ホース７の全長が止水栓６とボールタップとの間の距離とほぼ一致するとき、又はホース７の長さがこれらの間の距離よりも多少長いときには、フランジ３１，３４を重ね合わせてこの大係合部４１に係合させ、配管接続装置３０の全長が大きくならないようにソケット３２とプラグ３５とを連結することもできる。これにより、ホース７が止水栓６とボールタップとの間において過度に弛むことが防止され、見栄えの良い配管接続構造が得られる。
【００４０】
この実施の形態では、互いに離間した第１の小係合部４２と第２の小係合部４３との間に大係合部４１を配置したことにより、クリップ３６が比較的小型のものとなっている。
【００４１】
このクリップ３６にあっては、第１外周片３８と第２外周片３９とを手や指で離隔させるように弾性変形させてフランジ３１，３４の両サイドに被せることにより、工具等を用いなくても簡単にクリップ３６を該フランジ３１，３４に係着することができる。
【００４２】
上記実施の形態は本発明の一例であり、本発明は上記実施の形態に限定されるものではない。例えば、上記実施の形態では大係合部４１の両サイドに第１の小係合部４２と第２の小係合部４３を１個ずつ設け、配管接続装置３０の全長を２段階に変えることができるように構成しているが、大係合部４１の両サイドにそれぞれ２個以上の第１の小係合部４２と第２の小係合部とを設け、配管接続装置３０の全長を３段階以上に変えることができるように構成してもよい。
【００４３】
また、上記実施の形態は、洋風便器設備のボールタップと止水栓とをつなぐための配管接続構造への本発明の適用例を示しているが、これ以外にも、洗面台やキッチンキャビネット等などにおける止水栓と水栓等の水回り機器との接続構造、配管同士の接続構造などの種々の配管接続構造に本発明を適用することが可能である。
【００４４】
【発明の効果】
以上詳述した通り、本発明によると、配管の長さが接続予定機器同士の間の距離よりも多少短くても、配管をより長いものに交換することなく機器同士を接続することができるワンタッチ式の配管接続装置及びクリップが提供される。
【図面の簡単な説明】
【図１】実施の形態に係る配管接続装置の分解斜視図である。
【図２】図１の配管接続装置の側面図である。
【図３】従来例に係る配管接続装置を採用した洋風便器設備の斜視図である。
【図４】図３の配管接続装置の分解斜視図である。
【符号の説明】
１  洋風便器
２  ロータンク
６  止水栓
７  ホース
３０  配管接続装置
３１，３４  フランジ
３２  ソケット
３３  挿入筒
３５  プラグ
３６  クリップ
３８  第１外周片
３９  第２外周片
４０  連結片
４１  大係合部
４２  第１の小係合部
４３  第２の小係合部
【図１】
2004211874.tif 000003
【図２】
2004211874.tif 000004
【図３】
2004211874.tif 000005
【図４】
2004211874.tif 000006